【事件の表示】
　平成１１年特許願第２８６９１５号「巻取式スクリーン装置」拒絶査定に対する審判事件［平成１３年　４月１７日出願公開、特開２００１−１０７６６７］について、次のとおり審決する。
【結　論】
　本件審判の請求は、成り立たない。
【理　由】
１．手続の経緯・本願の請求項１に係る発明
　本願は、平成１１年１０月７日に出願されたものであって、その請求項１に係る発明（以下、「本願の請求項１に係る発明」という。）は、平成１３年１月１７日付け及び平成１４年１０月１６日付けの手続補正により補正された明細書及び平成１３年１月１７日付けの手続補正により補正された図面の記載からみて、その特許請求の範囲の請求項１に記載された事項により特定される次のとおりのものである。
　「スクリーンを巻き付けた巻取軸を回転自在に支持し、該スクリーンの対向縁部の少なくとも一方をガイドレールでガイドさせて、巻取軸の正逆回転によりスクリーンの繰り出し及び巻き取りを可能とした巻取式スクリーン装置において、
　上記巻取軸をスクリーンの開閉操作用の可動框に回転自在に支持させ、スクリーンの先端をスクリーン枠に固定し、
　上記ガイドレール及びそれによってガイドされるスクリーンの縁部に、相互の磁気吸着により該スクリーンのガイドレールからの離脱を抑止する磁気吸着部材を付設した、
ことを特徴とする巻取式スクリーン装置。」
　　　　
２．引用文献
　これに対して、原査定の拒絶の理由に引用され、本願の出願前に国内において頒布された特開平８−３０３１５８号公報（以下、「引用文献１」という。）には、
「【０００１】
【産業上の利用分野】本発明は、ネット巻き取り手段を内蔵したネット収納箱を左右に動かすことにより開閉するロール式横引き網戸に関するものである。」、
「【０００６】また、第２発明は、上記上框部材、下框部材の、上記ネットに向かう面に、マジックテープを構成する２種類シート材の内の多数のループ材を植設したシート材と対をなすシート材を貼着するとともに、上記ネット収納箱に上記面に貼着したシート材に上記ネットを転動しつつ押圧する押圧ローラを設けて形成した。
【０００７】
【作用】……第２発明のように構成することにより、第１発明における作用に加えて、ネットと上框部材，下框部材との間の隙間がなくなる。
【０００８】
【実施例】次に、本発明の一実施例を図面にしたがって説明する。図１〜３は、第１，第２発明の第１実施例に係るロール式横引き網戸を示し、枠体１とネット２とネット収納箱３とからこの網戸は構成されている。枠体１は、上框部材１１，下框部材１２およびこれらの部材の両端部に固定した縦框部材１３とから構成されている。上框部材１１，下框部材１２は、長手方向に垂直な断面において、横方向に、かつ内方に突出した二つのガイド部１４を備えた上レール，下レールのそれぞれを形成している。また、上框部材１１，下框部材１２のネット２に向かう面には、マジックテープを構成する２種類シート材の内の多数のループ材を植設したシート材と対をなすシート材１５が貼着してある。
【０００９】ネット２の縦方向の一方の端部、即ち本実施例では図１において右側の端部が押さえ部材２１により縦框部材１３に固定されている。ネット収納箱３は、ネット２をばね力により巻き取る巻き取り手段３１を内蔵し、上，下端面にそれぞれ４個の回転可能な溝付きのガイドローラ３２を備えている。……」と記載されており、
　図２及び４には、「ネット２を巻き付けた巻取軸をネット収納箱３に回転自在に支持させ、巻き取り手段３１を設け、ネット２の繰り出し及び巻き取りを可能にしていること。」が記載されている。
　以上の記載によれば、引用文献１には、
「ネット２を巻き付けた巻取軸を回転自在に支持し、該ネット２の対向縁部を上框部材１１及び下框部材１２でガイドさせて、巻取軸の正逆回転によりネット２の繰り出し及び巻き取りを可能としたロール式横引き網戸において、
　上記巻取軸をネット２の開閉操作用のネット収納箱３に回転自在に支持させ、ネット２の一方の端部を縦框部材１３に固定し、上記上框部材１１及び下框部材１２のネット２に向かう面に、マジックテープを構成する２種類シート材の内の多数のループ材を植設したシート材と対をなすシート材１５を貼着したロール式横引き網戸。」という発明が記載されていると認められる。
　
　同じく、実願昭５８−４２７６８号(実開昭５９−１４８８９３号)のマイクロフィルム（以下、「引用文献２」という。）には、
「（１）壁面の開口部を開閉可能としたスクリーンを有するロールブラインド装置において、上記開口部周辺の開口部枠乃至は開口部枠を固定する壁周面部と、上記開口部を閉成する如く展開した上記スクリーンのそれと対応する位置には、相互に磁気的結合をなしうる磁気的結合部材が配設され、開口部に対するスクリーンの展開閉成作用時にスクリーンは上記磁気的結合部材の結合によつてスクリーン内、外部間を無間隙状態で分断せしめ得る如く構成したことを特徴とする無間隙式ロールブラインド装置。」（明細書１頁実用新案登録請求の範囲第１項）、
「１はロールブラインド装置、２はそのスクリーンで、布或はプラスチツクシート等で形成されており、その引出し展開状態の第１図における裏面側には、後述する壁５の開口部に対する周面部分に配設された帯状磁石４に対応した位置に、磁性体粉を混入した帯状プラスチツクシート、或は磁性体の薄層板等からなる一方の磁気的結合部材としての帯状磁性体２ａが、一体に接合或は埋め込まれる等して取付けられており、」（同５頁３〜１２行）と記載されている。
　
　同じく、特開平６−１０８７６３号公報（以下、「引用文献３」という。）には、
「【特許請求の範囲】　【請求項３】　防虫スクリーン両側端部に、磁石に引き付けられる金属を、コーティングし又は張り付け或は粉末状として樹脂と混合し塗布するかもしくは防虫スクリーン両側端部に磁石に引き付けられる金属を用い、防虫スクリーン留め枠に磁石を用いる事を特徴とする巻き取り式防虫スクリーン。」、
「【００１０】実施例　３
（構成）防虫スクリーン両側端部に、フェライトを混入した樹脂を塗布し、防虫スクリーン留め枠内部には板状の磁石を設けた。また留め枠内部の板状磁石はレバー操作により位置の変更を行う事が出来る。
（機能）防虫スクリーンの開閉時は、レバーを操作して留め枠内部の板状磁石をスクリーンから遠ざける事により、抵抗なく開閉する事が出来る。また防虫スクリーンとしての使用状態ではレバー操作により防虫スクリーン留め枠内の板状磁石を防虫スクリーン側に接近させる事により、防虫スクリーンに塗布した樹脂に混入されているフェライトが防虫スクリーン留め枠内の板状磁石により引き付けられて、防虫スクリーンを留め枠に固定される。」と記載されている。
　　　　
３．対比・判断
　本願の請求項１に係る発明と引用文献１記載の発明とを比較すると、引用文献１記載の発明の「ネット２」、「上框部材１１及び下框部材１２」、「ネット収納箱３」、「一方の端部」、「縦框部材１３」は、本願の請求項１に係る発明の「スクリーン」、「ガイドレール」、「可動框」、「先端」、「スクリーン枠」に相当し、本願の請求項１に係る発明の「巻取式スクリーン装置」は、ロール式の防虫網戸を含むもので、スクリーンは横方向に巻取られるものであり、引用文献１記載の発明の「ロール式横引き網戸」と実質上差異がないといえるから、両者は、「スクリーンを巻き付けた巻取軸を回転自在に支持し、該スクリーンの対向縁部の少なくとも一方をガイドレールでガイドさせて、巻取軸の正逆回転によりスクリーンの繰り出し及び巻き取りを可能とした巻取式スクリーン装置において、上記巻取軸をスクリーンの開閉操作用の可動框に回転自在に支持させ、スクリーンの先端をスクリーン枠に固定し、スクリーンのガイドレールからの離脱を抑止する手段を設けた巻取式スクリーン装置。」である点で一致しているが、次の点で相違している。
（相違点）
　スクリーンのガイドレールからの離脱を抑止する手段として、本願の請求項１に係る発明は、ガイドレール及びそれによってガイドされるスクリーンの縁部に、相互の磁気吸着により該スクリーンのガイドレールからの離脱を抑止する磁気吸着部材を付設したのに対して、引用文献１記載の発明は、上框部材１１及び下框部材１２のネット２に向かう面に、マジックテープを構成する２種類シート材の内の多数のループ材を植設したシート材と対をなすシート材１５を貼着した点。
　
　そこで、上記相違点について検討すると、本願の出願前、離脱を抑止する手段として、磁気吸着部材による手段も、面ファスナーによる手段も、普通に行なわれていることであり、又、巻取式スクリーン装置において、開口部枠又は留め枠と展開したスクリーンのそれと対応する位置に、相互に磁気的結合をなし得る磁気的結合部材を配設し、スクリーンの展開閉成時には、その磁気結合作用により、スクリーンを開口部枠又は留め枠に固着することは、引用文献２、３に記載されているように周知の技術事項にすぎないから、上記相違点において、引用文献１記載の発明に代えて本願の請求項１に係る発明のようにすることは、当業者であれば、必要に応じて容易に設計変更できることにすぎない。
　　　　　　　　　　　
４．むすび
　したがって、本願の請求項１に係る発明は、上記引用文献１記載の発明及び周知の技術事項に基いて当業者が容易に発明をすることができたものであり、特許法第２９条第２項の規定により特許を受けることができないから、本願の他の請求項に係る発明を検討するまでもなく、本願は拒絶をすべきものである。
　よって、結論のとおり審決する。